(57)【要約】仮想面（６０１）上で少なくとも一つの位置をコード化する位置コード（４０３）が付けられる少なくとも一つの活性化領域（３０８）を有する製品（１１０）、及び該製品に関連付けられるサービスを作成するための方法及びコンピュータプログラムが説明され、該位置は、位置コード（４０３）を検出するデバイス（７１０）により記録される情報を活用する動作を開始するために、デバイス（７１０）によって記録される情報を活用する動作を、該位置コード（４０３）を検出するデバイス（７１０）に開始させる。画像ポイントを有する、該製品の少なくとも一部のデジタル表示が生成され、活性化領域（３−８）のデジタル表示中の各画像ポイントは、仮想面（６０１）の位置に一致する。製品のデジタル表示を作るために使用できるデジタルテンプレートも説明される。
2004507852.tif 000002
【特許請求の範囲】
【請求項１】
仮想面（６０１）上の少なくとも一つの位置をコード化する位置コード（４０３）が備えられる少なくとも一つの活性化領域（３０８）を有し、該位置により、位置コード（４０３）を検出するデバイス（７１０）が、デバイス（７１０）により記録される位置を活用する動作を開始する製品（１１０）を作成するための方法であって、
画像ポイントを有する、製品の少なくとも一部のデジタル表示を生成し、活性化領域（３０８）のデジタル表示中の各画像ポイントが仮想面（６０１）上の位置に一致するステップを有することを特徴とする方法。
【請求項２】
少なくとも一つの画像ポイントにマークを付けるステップと、
画像ポイントを仮想面（６０１）上の位置に変換するステップと、
仮想面（６０１）上の位置を使用することにより動作を開始するステップ、
とを更に有することを特徴とする、請求項１に記載の方法。
【請求項３】
位置コード付きの少なくとも一つの活性化領域（３０８）のデジタル表示でデジタルテンプレート（２０１）を入力するステップと、
製品のデジタル表示（３０１）を生成するためにテンプレート（２０１）の少なくとも一部を選択するステップ、
とを更に有することを特徴とする、請求項１または２に記載の方法。
【請求項４】
テンプレートが更に位置コード付きの書き込み面（２０３）のデジタル表示も有し、該デジタル表示が、書き込み面（２０３）のデジタル表示の各画像ポイントが仮想面（６０１）上の位置に一致する画像ポイントを有することを特徴とする、請求項３に記載の方法。
【請求項５】
動作を書き込み面（３０３）の一部と関連付けるステップを更に有することを特徴とする、請求項４に記載の方法。
【請求項６】
テンプレートが更に位置コード付きの文字−解釈フィールド（Ａ）のデジタル表示も有し、該デジタル表示の各画像ポイントが仮想面（６０１）上の位置に一致することを特徴とする、請求項３、４または５に記載の方法。
【請求項７】
各ピクセルが一つまたは複数の画像ポイントを割り当てられている、あるいは各画像ポイントに一つまたは複数のピクセルが割り当てられている、複数のピクセルを用いて、ディスプレイ（１１１）上に製品の少なくとも一部のデジタル表示（３０１）を示すステップと、
ディスプレイ（１１１）上のピクセルにマークが付けられると、これを対応する画像ポイントに変換し、各画像ポイントを仮想面（６０１）上の位置に変換するステップと、
仮想面（６０１）上の位置を使用することによって動作を開始するステップ、とを更に有することを特徴とする、請求項１から６のいずれか一項に記載の方法。
【請求項８】
動作を明示し、製品のデジタル表示（３０１）中の前記少なくとも一つの活性化領域（３０８）の少なくとも一つに結び付けるステップ、
を更に有することを特徴とする、先行する請求項のいずれか一項に記載の方法。
【請求項９】
製品のデジタル表示（３０１）に対応する物理的な製品を製造するステップ、
を更に有することを特徴とする、先行する請求項のいずれか一項に記載の方法。
【請求項１０】
デバイス及び製品のデジタル表示によって物理的な製品を試験するステップ、
を更に有することを特徴とする、請求項９に記載の方法。
【請求項１１】
試験をするステップが、
製品の所定の部分の画像を記録するステップと、
記録された画像を位置に変換するステップと、
記録された位置を、製品のデジタル表示中の対応する位置の位置と比較するステップと、
を更に有することを特徴とする、請求項１０に記載の方法。
【請求項１２】
試験するステップが、
製品の画像を記録するステップと、
パターンの質を決定するために、画像内のポイントのサイズ、形式、密度及び／またはコントラスト、及び／またはポイント及び／またはポイントがそれに対して位置合わせされる仮想ラスタの間の距離を決定するステップと、
を更に有することを特徴とする、請求項１０または１１に記載の方法。
【請求項１３】
物理的な製品がレーザプリンタを使用して作られることを特徴とする、請求項９、１０、１１または１２に記載の方法。
【請求項１４】
物理的な製品が印刷により作られることを特徴とする、請求項９、１０、１１、１２または１３に記載の方法。
【請求項１５】
仮想面（６０１）上の少なくとも一つの位置をコード化する位置コードが備えられる少なくとも一つの活性化領域（３０８）を有し、該位置により、位置コードを検出するデバイスが、デバイスにより記録される位置を活用する動作を開始する製品に結び付けられるサービスを作成するための方法であって、
画像ポイントを有する、製品の少なくとも一部のデジタル表示（３０１）を生成し、活性化領域のデジタル表示中の各画像ポイントが仮想面（６０１）上の位置に一致するステップを有することを特徴とする方法。
【請求項１６】
仮想面（６０１）上の少なくとも一つの位置をコード化する位置コードが備えられる少なくとも一つの活性化領域を有し、該位置により、位置コードを検出するデバイス（７１０）が、デバイスによって記録される位置を活用する所定の動作を開始する製品（１１０）を作成するためのコンピュータプログラムに記憶され、プログラムがコンピュータ上で実行されるときに、プログラムによりコンピュータが、
画像ポイントを有する、製品の少なくとも一部のデジタル表示（３０１）を生成し、活性化領域のデジタル表示中の各画像ポイントが仮想面（６０１）上の位置に一致することを特徴とするメモリ媒体。
【請求項１７】
記されているデジタル表示（３０１）中の画像ポイントに応えて、プログラムが、記された画像ポイントに一致する仮想面（６０１）上の位置についての情報を有する出力信号を生成させるためにさらに配列されることを特徴とする、請求項１６に記載のメモリ媒体。
【請求項１８】
プログラムが、さらに、
位置コード付きの書き込み面の少なくとも一つのデジタル表示、及び位置コード付きの活性化領域（３０８）の少なくとも一つのデジタル表示を用いてデジタルテンプレート（２０１）を入力するために、
前記少なくとも一つの書き込み面の少なくとも一部の選択及び前記少なくとも一つの活性化領域（３０８）の一つについての情報を含む信号を受信するために、
情報信号を使用して製品のデジタル表示を生成するために、
配列されていることを特徴とする、請求項１６または１７に記載のメモリ媒体。
【請求項１９】
プログラムが、さらに、前記少なくとも一つの活性化領域（３０８）の少なくとも一つに動作を結び付けるための情報を受信するために配列されることを特徴とする、請求項１６、１７または１８に記載のメモリ媒体。
【請求項２０】
仮想面（６０１）上の少なくとも一つの位置をコード化する位置コードが備えられる少なくとも一つの活性化領域（３０８）を有し、該位置により、位置コードを検出するデバイス（７１０）が、デバイス（７１０）により記録される位置を活用する所定の動作を開始する製品（１１０）のためのサービスを作成するためのコンピュータプログラムが記憶され、プログラムがコンピュータ上で実行されるときに、プログラムによりコンピュータが、
画像ポイントを有する、製品の少なくとも一部のデジタル表示（３０１）を生成し、活性化領域（３０８）のデジタル表示中の各画像ポイントが仮想面（６０１）上の位置に一致することを特徴とするメモリ媒体。
【請求項２１】
プログラムが、さらに、製品のデジタル表示の少なくとも一部に動作を接続するための情報を受信するために配列されることを特徴とする、請求項２０に記載のメモリ媒体。
【請求項２２】
仮想面（６０１）上の少なくとも一つの位置をコード化する位置コード（４０３）が備えられる少なくとも一つの活性化領域（３０８）を有し、該位置により、位置コード（４０３）を検出するデバイス（７１０）が、デバイス（７１０）により記録される位置を活用する動作を開始する製品（１１０）を作成することを目的としたデジタルテンプレートであって、活性化領域（３０８）のデジタル表示の各画像ポイントが仮想面（６０１）上の位置に一致する画像ポイントを有することを特徴とするテンプレート。
【請求項２３】
仮想面（６０１）上の少なくとも一つの位置をコード化する位置コード（４０３）が備えられる少なくとも一つの活性化領域（３０８）を有し、該位置により、位置コード（４０３）を検出するデバイス（７１０）が、デバイス（７１０）により記録される位置を活用する動作を開始する製品（１１０）を作成するための方法であって、
製品の少なくとも一部のデジタル表示を生成するステップと、
製品のデジタル表示によって物理的な製品を作成するステップと、
を有することを特徴とする方法。
【請求項２４】
製品のデジタル表示によって物理的な製品を試験するステップ、
を更に備えることを特徴とする、請求項２２に記載の方法。
【請求項２５】
仮想面（６０１）の少なくとも一つの位置をコード化する位置コード（４０３）が備えられる少なくとも一つの活性化領域（３０８）を有し、該位置により、位置コード（４３０）を検出するデバイス（７１０）が、デバイス（７１０）により記録される位置を活用する動作を開始する製品（１１０）を作成するための方法であって、
活性化領域（３０８）のデジタル表示中の各画像ポイントが仮想面（６０１）上の位置に一致する画像ポイントを有する製品の少なくとも一部のデジタル表示を生成するステップと、
位置コード付きの少なくとも一つの活性化領域（３０８）のデジタル表示を用いてデジタルテンプレートを入力するステップと、
製品のデジタル表示（３０１）を生成するためにテンプレート（２０１）の少なくとも一部を選択するステップと、
を有することを特徴とする方法。
【請求項２６】
仮想面（６０１）の少なくとも一つの位置をコード化する位置コード（４０３）が備えられる少なくとも一つの活性化領域（３０８）を有し、該位置により、位置コード（４０３）を検出するデバイス（７１０）が、デバイス（７１０）により記録される位置を活用する動作を開始する製品（１１０）を作成するための方法であって、
活性化領域（３０８）のデジタル表示中の各画像ポイントが仮想面（６０１）上の位置に一致する画像ポイントを有する製品の少なくとも一部のデジタル表示によって製品を試験するステップと、
を有することを特徴とする方法。
【請求項２７】
製品を試験するステップが、
製品の所定の一部の画像を記録するステップと、
記録された画像を位置に変換するステップと、
記録された位置を、製品のデジタル表示中のその同値と比較するステップと、を有することを特徴とする、請求項２６に記載の方法。
【請求項２８】
製品を試験するステップが、
製品の所定の部分の画像を記録するステップと、
パターンの質を決定するために、画像内のポイントのサイズ、形式、密度及び／またはコントラスト、及び／またはポイント及び／またはポイントがそれに対して位置合わせされる仮想ラスタの間の距離を決定するステップと、
を有することを特徴とする、請求項２６に記載の方法。
【請求項２９】
製品の少なくとも一部のデジタル表示を生成するステップも更に有することを特徴とする、請求項２６から２８のいずれか一項に記載の方法。
【請求項３０】
請求項２６から２９のいずれか一つの方法を実行するためのコンピュータプログラムを有するコンピュータプログラム製品。
【発明の詳細な説明】
【０００１】
（技術分野）
本発明は、仮想面上の少なくとも一つの位置をコード化する位置コードが付けられる少なくとも一つの活性化領域を有し、該位置により、該位置コードを検出するデバイスが、該デバイスにより記録される位置を活用する所定の動作を開始する製品を作るための方法に係わる。本発明は、本発明による方法を実行するように適応されるプログラムを備えるメモリ媒体にも係わる。
【０００２】
（背景技術）
多くの人が、短文、特に通話及び会議のメモを書き込むためにコンピュータの代わりに紙とペンを使用する。それは使用できるコンピュータがないため、コンピュータのキーボードを介して効率的に文を入力するには両手が必要であるため、あるいはコンピュータの中の正しいプログラムを起動するには長い時間を要するためなどの理由の為である。メモが一枚の用紙に書かれる場合にも、多くの場合、人はデジタルカレンダに会議についてのメモを、あるいはデジタル住所録に住所をなど、それらの内の選択された部分をコンピュータに入力することを希望することがある。
【０００３】
米国特許第５，８５２，４３４号及び米国特許第５，４７７，０１２号には、ユーザが、手で書かれた及び手で描画された情報を、情報が書き込み面に書かれる／描画されるのと同時にコンピュータに入力できるようにするデバイスを示している。デバイスは、Ｘ−Ｙ座標をコード化する位置コードが配列される書き込み面、及びユーザがそれを使って書き込み面上に書き込むまたは描画することができるペン先付きの特殊ペンを有する。ペンは、位置コードを照明するための光源、及び位置コードから反射される光を受け取るためのＣＣＤセンサも有する。ＣＣＤセンサによって受け取られる位置情報は、処理のためにコンピュータに送信される。このデバイスは、ユーザが書き込み面に書き始めることができるようになる前に、コンピュータを起動し、特定のプログラムを開くことを必要とすると考えられる。
【０００４】
類似するデバイスは、米国特許第５，６６１，５０６号、米国特許５，０５１，７３６号、米国特許５，６５２，４１２号、及び米国特許第５，４４２，１４７号に示されている。
【０００５】
米国特許第５，９３２，８６３号は、ユーザがデバイスによって、例えば本などの印刷物中の記号、コードまたは類似物を読み取ることによりどのように電子媒体にアクセスできるのかを示している。デバイスは、読み取り記号を含む信号を、該記号に対応するコマンドを実行する制御装置に送信する。類似した方法はＷＯ第９９／５０７８７号に開示されている。
【０００６】
コマンドに対応する位置コード及び記号が付いた製品を作るときには、該製品を試験するためにサンプル製品及びペンにアクセスできることが必要である。しかしながら、製造が予定される製品の完全なセットを、製品を試験する前に作る必要性を回避することが望ましい。製品中に欠陥がある可能性があるということは、製品の完全なセットを再度印刷し直さなければならないことを暗示するため、これは高価且つ困難である。したがって、この欠点を取り除く本発明に従って製品を作るための方法を有することが望ましいだろう。
【０００７】
（発明の開示）
本発明の目的は、位置コードが付いた製品の製造及び試験を簡略化する方法及びコンピュータプログラムを提供することである。
【０００８】
本発明の別の目的は、動作が活性化領域に関連付けられた、位置コード付き活性化領域を備えた製品を作成するための簡略化された方法を提供することである。
【０００９】
これらの目的は、独立クレームに記載される方法及びメモリ媒体により達成される。
【００１０】
追加の優位点は、従属クレームの特性により達成される。
【００１１】
本発明の態様に従い、仮想面上の少なくとも一つの位置をコード化する位置コードが備えられる少なくとも一つの活性化領域を有し、該位置により、位置コードを検出するデバイスが、該デバイスが記録する位置を活用する動作を開始する製品を作成するための方法が提供される。該方法は、活性化領域のデジタル表示中の各画像ポイントが仮想面上の位置に一致する画像ポイントを有する、製品の少なくとも一部のデジタル表示を生成ステップにより特徴付けられる。
【００１２】
このようにして、製品の少なくとも一部のデジタル表示が生成される。製品の該一部は、例えば新聞の広告であり、その場合、広告はページ全体を占めていない。言うまでもなく、デジタル表示がページ全体を表すこともある。
【００１３】
以下においては、製品全体が意図されるときだけではなく、製品の一部が意図されるときにも、表現、製品のデジタル表示が使用されるだろう。
【００１４】
有利なことに、デバイスにより記録される情報は、動作を開始するために使用される位置に変換される。
【００１５】
このようにしてディスプレイ上の画像ポイントと製品のデジタル表示上のポイントの間には関係がある。更にまた、製品のデジタル表示上のポイントは、仮想面上の位置に関連付けられている。
【００１６】
製品のデジタル表示を使用することにより、製品の設計及び試験はさらに簡単になる。加えて、位置コードを検出するように適応されたデバイスを使用して活性化領域内で位置コードを検出することにより活性化される動作のプログラミングもさらに容易になる。
【００１７】
位置コードはこのように設計されているので、所定のサイズを有する、位置コードの任意の適切な部分集合が、仮想面の位置の絶対座標をコード化する。
【００１８】
位置コードは、好ましくは光学的に記録されるために配列されるが、それが、例えば任意の適切な波長の電磁放射線により記録されるために配列されることは本発明の範囲内である。
【００１９】
位置コードは、有利なことに、所定の長さの部分的なシーケンスが、位置シーケンス内の部分的なシーケンスの位置を明らかに明示するように配列される位置記号付きの少なくとも一つの位置シーケンスによりコード化される。つまり、各記号は少数の異なる値をコード化しさえすればよい。各記号がいくつかの値だけをコード化する結果、記号の構造は簡略化される。
【００２０】
有利なことに、位置記号のそれぞれは２つの直交方向でのコード化に役立つ。
【００２１】
位置記号のそれぞれは、好ましくは少なくとも一つのマークから成り立っており、ラスタに対する前記少なくとも一つのマークの位置が記号の値を定める。
【００２２】
代わりに、位置記号のそれぞれは、マークのサイズが記号の値を定めるマークから成り立っている。
【００２３】
これに関連して、製品は、位置コードを適用できるすべての考えられる商品を意味する。おもに、これは雑誌、本中の、及びルーズリーフとしての数枚の用紙を指すが、掲示板などの他の商品にも位置コードを備えることができる。
【００２４】
本発明による方法は、有利なことに、画像ポイントにマークを付けることによって製品を試験するステップと、仮想面上の位置に画像ポイントを変換するステップと、位置を使用することにより動作を開始するステップも有する。
【００２５】
画像ポイントと仮想面上の位置の間に関係があるため、活性化領域内の位置コードと関連付けられている動作を試験することは相対的に容易である。画像ポイントを位置に変換することは、物理的な製品を作らなくとも位置に関連付けられる動作を試験することができることを意味する。この結果、時間と費用がかなり節約される。
【００２６】
有利なことに、本発明による方法は、位置コードが付けられた少なくとも一つの活性化領域のデジタル表示でデジタルテンプレートを入力するステップと、製品のデジタル表示を生成するために前記活性化領域の少なくとも一つを選択するステップも有する。
【００２７】
テンプレートは製品のデジタル表示を作成するときのベースとして取り込まれるため、ある特定の目的のための製品は簡単に作ることができる。例えば、テンプレートは、テンプレートの使用を許諾する企業により提供される。さまざまな目的に異なるテンプレートの使用を許諾することにより、前記企業は、使用権の取得者がアプリケーションごとに特殊なテンプレートを購入することを確実にすることができる。
【００２８】
有利なことに、テンプレートは、位置コードが付いた書き込み面のデジタル表示も有し、書き込み面のデジタル表示中の各画像ポイントは仮想面上の位置に一致する。書き込み面は、仮想面上で連続的な領域をコード化する。
【００２９】
有利なことに、書き込み面は、手書き情報に入力フィールドを使用すると予想されるすべてのテンプレートに含まれる。製品のデジタル表示を作成することを希望するユーザは、書き込み面の少なくとも一部を選択する。
【００３０】
テンプレートは、位置コード付きの文字−解釈フィールドのデジタル表示も有し、文字−解釈フィールドのデジタル表示中の各画像ポイントは、仮想面上の位置に一致する。
【００３１】
テンプレートに文字−解釈のためのフィールドを有することによって、製品のためにこのようなフィールドを選択することが可能になる。このようなフィールドは、テンプレートが、例えばｅ−メールアドレス、電話番号、またはファックス番号などのアドレスまたは同等物の入力用である場合に、有効である。有利なことに、文字−解釈フィールドは、仮想領域内の特殊な領域の一部である位置コードを有する。これにより、位置コードを検出するデバイスが、文字−解釈フィールドに入力される情報を文字として解釈すべきかどうかをただちに判断できるようにする。
【００３２】
本発明による方法は、有利なことに、各ピクセルが一つまたは複数の画像ポイントを割り当てられる、あるいは各画像ポイントが一つまたは複数のピクセルを割り当てられる、複数のピクセルでディスプレイ上に製品のデジタル表示を示すステップと、ディスプレイ上のピクセルが記されると、これを対応する一つまたは複数の画像ポイントに変換し、各画像ポイントを仮想面上の位置に変換するステップと、仮想面上の位置を使用することにより動作を開始するステップとも有する。
【００３３】
これは、製品を試験する簡略な方法であり、製品を作ることを必要とせずに試験を可能にする。
【００３４】
しかしながら、アプリケーションを試験できるように、製品のデジタル表示に関するすべての情報にアクセスすることは不可欠ではない。このようにして、本発明の実施形態により、試験のために、位置コード付きの活性化領域と他の領域、及びそれらの互いに対するそれぞれの位置に関する情報を有するが、製品の外観だけに関する情報は持たない、製品の第２デジタル表示が使用されてよい。したがって、例えば、この第２デジタル表示には色情報は含まれていない。
【００３５】
有利なことに、試験は、製品のデジタル表示がディスプレイ上に示されるコンピュータを使用して実施される。有利なことに、この方法は、各ピクセルが一つまたは複数の画像ポイントを割り当てられている、あるいは各画像ポイントが一つまたは複数のピクセルを割り当てられている、複数のピクセルでディスプレイ上に製品のデジタル表示を示すステップと、ディスプレイ上のピクセルにマークが付けられると、これを対応する画像ポイントに変換し、各画像ポイントを仮想面上の位置に変換するステップと、仮想面上の位置を使用することにより動作を開始するステップとも有する。
【００３６】
また、この方法は、有利なことに、動作を定義し、前記活性化領域の少なくとも一つと関連付けるステップも有する。このようにして、例えばコンピュータのプログラミングは、活性化領域の位置が一定の動作に関連付けられるように実行される。
【００３７】
製品のデジタル表示が前記説明に従って試験されたとき、製品の試験プリントアウトは、十分に高品質なプリントアウトを提供するプリンタを使用して通常の用紙上で作られる。プリンタは、位置コードの読み取りを可能にするほど十分な精度で位置コードを再生できなければならない。通常の用紙上で作られたプリントアウトは、位置コードを読み取るように適応される読み取りペンを用いて試験される。したがって、物理的な製品は、読み取りペン、及び製品のデジタル表示を用いて試験される。ここでは、試験は、物理的な製品のさまざまな部分がデバイスにより記録され、その後読み取られた部分が製品のデジタル表示と比較されることを意味する。試験プリントアウトを作る前に製品のデジタル表示を試験することは必要ではない。
【００３８】
製品の試験は、本発明の実施形態により、製品の所定の部分の画像を記録するステップと、記録された画像を位置に変換するステップと、記録された位置を製品のデジタル表示中のその同値と比較するステップを有する。
【００３９】
別の実施形態により、製品の試験は、製品の所定の部分の画像を記録するステップと、パターンの質を判断するために、画像中のドットのサイズを求めるステップとを有する。
【００４０】
ドットのサイズは印刷工程の質の一つの基準である。印刷工程が十分に良好ではない場合、それはパターン中のドットのサイズに影響を及ぼすだろう。ドットのサイズが所望されるサイズと違いすぎる場合には、これはパターンの記録及び解釈を台無しにする可能性がある。
【００４１】
試験される他の特性は、マークの形式だけではなく、マークの密度及びコントラストでもある。
【００４２】
このようにして、試験プリントアウトに使用されるプリンタは、それが十分に高品質のプリントアウトを生じさせる限り任意の形式であってよい。したがって、プリンタは有利なことにレーザプリンタである。代わりに、プリンタは、インクジェットプリンタまたは昇華型プリンタである。
【００４３】
有利なことに、消費者に販売される予定の製品は、例えば、通常の印刷機で大規模に製造される。有利なことに、最初は第１ロットで少量の製品だけが製造され、その後、製品の残りが印刷される前に、印刷された製品が読み取りペンで試験される。つまり、製品は、それらが販売される条件で試験され、何かが故障すると警告が出されるだろう。この場合、試験は、印刷された製品上の位置−コード化パターンが製品のデジタル表示に一致することが確認されることを意味する。
【００４４】
大規模な印刷機で印刷された製品を試験する際に使用される試験は、前述された試験ステップの内の一つまたは複数である場合がある。完成した製品が正しいかどうかの表示が得られるのはこのステップにおいてであるために、経済的に重要なステップは、印刷された製品の小さなロットを試験するステップである。
【００４５】
ユーザが例えば位置コードを記録するためのデバイスを使用して、例えば用紙の形を取る完成品から位置を入力すると、デバイスは、動作が開始されるサーバに信号を送信する。
【００４６】
書き込み領域がある場合、書き込み領域の一部を活性化領域として形成し、このようにして形成された活性化領域と動作を関連付けることも可能である。
【００４７】
有利なことに、この方法は、製品のデジタル表示をプリンタに送出するステップと、プリンタでそれを印刷するステップも有する。
【００４８】
本発明の第２態様に従って、仮想面上の少なくとも一つの位置をコード化する位置コードが備えられる少なくとも一つの活性化領域を有し、該位置により、位置コードを検出するデバイスが、デバイスにより記録される位置を活用する所定の動作を開始する製品を作成するためのコンピュータプログラムが記憶されるメモリ媒体が備えられる。メモリ媒体は、プログラムが、それがコンピュータ上で実行されると、コンピュータに、画像ポイントを有する、製品のデジタル表示を生成させ、活性化領域のデジタル表示中の各画像ポイントが仮想面上の位置に一致するという点で特徴付けられる。
【００４９】
有利なことに、プログラムは、マークが付けられているデジタル表示中の画像ポイントに応えて、マークが付けられた画像ポイントに一致する仮想面上の位置についての情報を有する出力信号を生成するために配列される。
【００５０】
有利なことに、プログラムは、位置コード付きの活性化領域の少なくとも一つのデジタル表示でデジタルテンプレートを入力するため、ディスプレイ上にテンプレートを示すため、前記少なくとも一つの活性化領域の少なくとも一つの選択についての情報を含む信号を受信するため、及び情報信号を使用して製品のデジタル表示を生成するために配列される。
【００５１】
有利なことに、プログラムは、前記少なくとも一つの活性化領域の少なくとも一つと動作を関連付けるための情報を受信するために配列される。
【００５２】
このようにして、プログラムは、製品及び該製品に関連するサービスの作成者向けである。プログラムの実施形態に従って、プログラムのユーザは例えばインターネットに接続されるネットワークサーバからテンプレートの入力を開始し、ユーザは、該サーバから、テンプレートのさまざまな部分を選択することにより製品のデジタル表示を、それを使って作成できるテンプレートを得るためにライセンスを購入した。それ以降、ユーザは、さまざまな動作を作成し、それらを製品のデジタル表示上のさまざまな活性化領域に結び付けることができる。最後に、ユーザは、例えばカレンダまたはなんらかの他の製品を印刷することにより製品を作る。
【００５３】
本発明の別の態様に従って、本発明は、仮想面上の少なくとも一つの位置をコード化する位置コードが備えられた少なくとも一つの活性化領域を有し、該位置により、位置コードを検出するデバイスが、デバイスによって記録される位置を活用する動作を開始する製品と関係するサービスを作成するための方法及びコンピュータプログラムに関わる。方法及びコンピュータプログラムは、製品のデジタル表示をディスプレイ上に示すステップにより特徴付けられ、活性化領域のデジタル表示中の各画像ポイントは仮想面上の位置に一致する。本発明のこの態様によるコンピュータプログラム及び方法は、例えば前述されたデバイスによってユーザが接触できるサーバ上で有利にセットアップされる、製品に関係するサービスの作成用である。
【００５４】
本発明の追加態様に従ってデジタルテンプレートが提供され、該デジタルテンプレートは、仮想面上の少なくとも一つの位置をコード化する位置コードが備えられる少なくとも一つの活性化領域を有し、該位置により、位置コードを検出するデバイスが、デバイスにより記録される情報を活用する動作を開始する製品の作成向けである。テンプレートは画像ポイントを有し、活性化領域のデジタル表示中の各画像ポイントは仮想面上の位置と一致する。
【００５５】
前記第１態様による方法と関係して説明されてきたさまざまな特性も、前述されたものと同じ優位点を持つ本発明の他の態様によるメモリ媒体、方法、コンピュータプログラム及びデジタルテンプレートで実現できる。
【００５６】
言うまでもなく、前述されたようなさまざまな特性は、同じ実施形態で組み合わせることができる。
【００５７】
本発明をさらに明確に描くために、本発明の詳細な実施形態が以下に説明されるが、本発明はこれらに制限されていない。
【００５８】
（好ましい実施形態の説明）
図１は、本発明による製品及びサービスの作成についてのフローチャートである。ユーザは、仮想面上の少なくとも一つの位置をコード化する位置コード付きの製品を作成し、販売するライセンスを購入する。該ライセンスは、ユーザのアイデンティティについて、及びユーザが仮想面のどの位置の使用を許諾したのかについての情報が記憶される名前サーバ１０１に記録される。ユーザについての情報は名前サーバ１０１からテンプレートサーバ１０２に送信され、そこからユーザは、製品を作成するためにテンプレートサーバからテンプレートを得ることができる。ブロック１０３では、テンプレートがテンプレートサーバ１０２から得られる。図２は、ユーザがテンプレートサーバ１０２から得たテンプレート２０１を示す。テンプレート２０１は、ノートページの作成用である。テンプレートは、書き込み面２０３のデジタル表示、コマンドフィールド２０４のデジタル表示、及び文字−解釈領域Ａのデジタル表示を有する。図１は、実際の製品を作成している誰かにより実施されるステップを上半分に示している。該図の下半分は、製品に関係するサービスを実行するためにサーバをプログラムしている誰かによって実行されるステップを示す。
【００５９】
それは、製品に関係するサービスを作成している人物、または位置コードの使用を許諾するために製品を作成している人物のどちらかにとって十分である。
【００６０】
したがって、サービスと製品をそれぞれ作成する、異なる企業があることが考えられる。しかしながら、製品だけではなく、サービスも作成するのが同じ企業である場合がある。
【００６１】
好ましい実施形態に従って、ライセンスは、仮想面上のどの位置に使用権の取得者がアクセスできるのかを明示する。
【００６２】
デジタル表示は、それぞれ仮想面上の位置を割り当てられる画像ポイントから成り立っている。画像ポイントは画面上で再生され、デジタル表示中の各画像ポイントは画面上のピクセルに一致する。しかしながら、低解像度の画面では、各ピクセルに複数の画像ポイント、例えば４個、９個、または１６個の隣接する画像ポイントを割り当てることができるが、他のケースでは、例えば、画面上のデジタル表示の引き伸ばしが大きい場合、各画像ポイントに複数のピクセルを割り当てることができる。例えばマウスを用いて画面上でトラックにマークを付けるために、数多くのピクセルにマークが付けられ、対応する画像ポイントがデジタル表示上でマークを付けられる。
【００６３】
書き込み面２０３のデジタル表示上では、記号から構成される位置コードがある。各記号は、ポイント２０６の形を取るマークを有する。書き込み面上に広がる仮想ラスタに対するポイント２０６の位置が、記号の値を決定する。明快さのために、位置コードは書き込み面の小さな部分上だけに概略して示され、位置コードのこの部分はテンプレートに沿って引き伸ばされる。画面上の画像ポイントと対応する製品がコード化する位置の間には関連性がある。
【００６４】
位置コードは、さらに詳細に後述される。
【００６５】
位置コードは、グラフィック情報が書き込み面２０３に書き込まれる、または描画されるのと同時に、例えば手書きテキストと数、及び手で描画された図などのグラフィック情報を電子的に記録できるようにする。さらに特定すると、グラフィック情報を書き込むまたは描画しているペン先の位置が、ペン先で位置コードを局所的に読み取ることにより連続的に記録されている。このようにして、書き込み面全体でのペン先の移動のデジタル表示が達成される。
【００６６】
コマンドフィールド２０４には、デバイスに多様な動作を開始させる、及び／または実行させるために使用できる起動フィールド２０７ａ−ｇの７つの異なるデジタル表示がある。フィールド２０７ａ−ｇは、一方では、完成した製品のユーザが、フィールドを記録するために読み取りペンなどのデバイスを置き、この様にして動作を開始されることのできる領域である活性化領域２０８、他方では、図式的に設計されているため、製品のユーザがフィールドによってどの動作が活性化されるのかを理解することができるフィールドの機能の視覚的な表示２０９を有する。視覚的な表示２０９は、この例では画像から成り立っているが、それらはテキスト及び／または数及び／または他の記号も有することがある。それらは、さらに、活性化領域２０８内に位置しているが、それらがフィールドの検出及び特定のために使用されない場合には、これらと関連しているが、活性化領域外にも位置することがある。
【００６７】
フィールド２０７は、複数の異なる活動を解釈できる。フィールドが解釈できる機能の例は色の調整であり、その場合、色調整フィールドに画像を記録することは、入力されている情報が入力されていた、あるいはそれから、両方ともに、色調整フィールドにより明示される色であるとして解釈されなければならないことを意味する。
【００６８】
示されている実施形態では、活性化領域には、書き込み面と同じ位置コードが提供されているが、位置コードは、書き込み面上の位置コードによりコード化される位置以外の一つまたは複数の他の位置をコード化する。位置コードは、活性化領域の一つの小さな部分だけに概略して示され、この部分が引き伸ばされている。
【００６９】
各フィールドに対応して、フィールドが「活性化」される、つまり、その目的用のデバイスにより検出されるときに開始される動作がある。この実施形態でのフィールドは例にすぎない。
【００７０】
製品のデジタル表示を設計するユーザは、例えば、動作を書き込み面の所定の領域に結び付けることによって独自の活性化領域を作成できる。前記動作は所定であってよい。これらの所定の領域は、図２では２２０と示されている。位置コードを記録するデバイスは、これらの所定の領域内にある位置を認識する。この優位点は、デバイスが連続的な位置コードをさらに容易に読み取るという点である。活性化領域は、活性化領域内の位置コードがペンにより記録されるときに、アプリケーションサーバが接触されることを読み取りペンが知っているという特性を有する。したがって、正しいアプリケーションサーバと接触できるために、読み取りペンは、図１で１０１と示される名前サーバと接触する。
【００７１】
テンプレートの下部には、文字―解釈フィールドＡがある。これは、おもに、活性化領域により開始される多様な動作と関連して必要とされ、文字−解釈される必要があるファックス番号、電話番号またはｅ−メールアドレスなどのアドレス情報向けであるが、それは文字解釈される必要のあるキーワード及び他のテキストにも使用できる。文字−解釈フィールドＡは、その範囲がユーザに明らかとなるように、視覚的に書き込み面から区別される。この実施形態では、領域は、それぞれが一文字を受け入れることを目的とするセクションＢにも分割されている。文字−解釈領域には、書き込み面と活性化面と同じ位置コードが付けられるが、アドレス領域の位置コードは書き込み面及び活性化領域の位置コードに合わせてさまざまな位置をコード化する。位置コードは、領域Ａの小さな部分だけに概略して示される。この部分が引き伸ばされた。
【００７２】
図３は、図２のテンプレートを基に作成されたノートページの形を取る製品の画像を示す。図３のノートページは、製品、及びノートページのデジタル表示の両方と見なすことができ、以下の本文中では、両方で取り扱われるだろう。ノートページ３０１は、書き込み面から位置を検出することを可能にする位置コードが付けられる書き込み面３０３を有する。ノートページ３０１のデジタル表示は、テンプレート２０１から部分集合を選択することにより作成された。図１のフローチャートでは、これはブロック１０４で実行される。ブロック１０４では、製品のデジタル表示の生成のためのテンプレートのさまざまな部分の選択は単に実行されない。ブロック１０４では、文字−解釈フィールドＡ上のテキストなどの他のグラフィック情報も挿入され、該テキストはユーザに、ユーザが自分のアドレスと電話番号をフィールドに入力することを期待されていることを知らせる。必要とされる場合、ブロック１０４では、製品に魅力的な外観を与えるために、色及び他のグラフィック情報も挿入される。ユーザは、ディスプレイ１１１上でデジタル表示がどのように見えるのかを確かめる。
【００７３】
ノートページ３０１のデジタル表示は、ブロック１０４で作成された後、ノートページ３０１に関係する動作またはアプリケーションのプログラミングのためにブロック１０５に送信される。
【００７４】
言うまでもなく、製品のグラフィック外観を作成する前に動作／アプリケーションをプログラミングすることが可能である。この場合、さまざまな領域は、アプリケーションがプログラミングされた後に、プログラミングされたアプリケーションに関連付けられる。したがって、本実施形態に従って、アプリケーションは、デジタル表示中のさまざまな領域がアプリケーションと関連付けられる前にプログラミングされた。
【００７５】
ブロック１０４からの出力信号は、一方では、ブロック１０５に送信される製品のデジタル表示であり、他方では、製品１１０を作成するためにブロック１０９で印刷されるために送信されるプリンタファイルの形を取るデジタル表示である。
【００７６】
例えば、動作／アプリケーションは、それがメール記号３０７ｃにある位置コードを記録するノートページのユーザによって開始されるほどである。それから、メール記号にある位置コードを読み取る読み取りペンは、位置コードによりコード化される位置が活性化領域に属することを認識し、従って名前サーバと接触する。名前サーバは、それがノートページと関連付けられるアプリケーションサーバ１０８と接触しなければならない旨の情報をペンに送信する。その結果、アプリケーションサーバ１０８は、事前にプログラミングされたプログラムに従ってペンから情報を要求する。
【００７７】
このようにして、動作／アプリケーションは、それが、それを呼び出すペンからどの情報を必要とするのかをプログラミングすることによってブロック１０５で作成される。さらに、アプリケーションサーバ内の動作／アプリケーションが、それがペンから取得したデータをどのように使用すべきかをプログラムすることもできる。それ以降、アプリケーションは、製品の作成を必要とせずに、製品のデジタル表示を使用して試験することができる。
【００７８】
ここで、動作／アプリケーションがブロック１０７でどのように試験されるのかの例が図３に関して説明されるだろう。アプリケーションを試験するとき、これは、図３に図示される製品３０１のデジタル表示を使用して実行される。ユーザが例えばマウスを使用して、製品のデジタル表示を示すディスプレイ上の書き込みフィールド３０３のデジタル表示にテキストを書き込むとき、書き込まれたさまざまな画像ポイントが、製品のデジタル表示に関連付けられる仮想領域内の位置に変換される。それ以降、さまざまな位置がメモリに記憶される。活性化領域３０８のデジタル表示中の画像ポイントはペンエミュレータにより記録されるため、画像ポイントは、位置コードに関連付けられるアプリケーションに何かを送信するためのメッセージとして解釈される、位置コード内のポイント３０６を使用して位置に変換される。この場合、視覚的な表示３０９はメール記号である。
【００７９】
消費者に販売される本物の製品の場合、読み取りペンは、活性化領域に記録されていた位置コードが関連付けられるアプリケーションサーバのアドレスを見つけ出すために、図１内で１０１に対応する名前サーバ（ＰＬＳ）に要求を送信した。それ以降、読み取りペンは、アプリケーションサーバとの会話を開始するために、アプリケーションサーバに信号を送信した。すると、アプリケーションサーバは、読み取りペンにどのような情報をそれに供給させたいのかを指定した。しかしながら、名前サーバとの接触のたびに請求されるため、製品を試験するときにはこれを回避しようと試みられる。
【００８０】
したがって、製品のデジタル表示中のアプリケーションを試験する場合、アプリケーションが作成中であるコンピュータとの接触は、製品のデジタル表示が試験されているペンエミュレータによって直接的に開始される。例えば、コンピュータは、文字−解釈フィールドＡに書き込まれた文字を要求し、アドレスとして文字を解釈する。コンピュータは、書き込みフィールド３０３のデジタル表示に記された画像ポイントの位置を要求し、文字−解釈フィールドＡに指定されたアドレスにも位置を送信する。
【００８１】
製品のデジタル表示のすべての情報は、製品のデジタル表示でアプリケーションを試験するために不可欠ではない。このようにして、製品の外観だけに関係する情報を含まない製品の第２デジタル表示が、この試験のために使用されてよい。
【００８２】
消費者に販売される本物の製品及び本物の読み取りペンの場合には、読み取りペンは、書き込み面に書き込まれたメッセージの位置、文字−解釈フィールドに書き込まれた文字、及び読み取りペンのアイデンティティを要求するアプリケーションサーバのアドレスにアクセスする。それ以降、アプリケーションサーバは、書き込み面に書き込まれたメッセージを文字−解釈フィールドに書き込まれたアドレスに送信し、読み取りペンのアイデンティティと関連付けられるユーザに料金を付ける（ｄｅｂｉｔ）ことができる。
【００８３】
特定のサービスに適した製品を作成する複数の異なる企業がある場合がある。
【００８４】
製品及び対応するアプリケーションのデジタル表示を作成し、試験するためのプログラムは、図８に描かれている。有利なことに、このプログラムは、テンプレートサーバからテンプレートを入力する作成モジュール、及びアプリケーションサーバ内でプログラムを作成するように適応される作成モジュールを有する。作成モジュールでは、アプリケーションサーバが「送信」のための活性化領域がペンによって記録された旨のメッセージを受信するときにデータの処理方法を理解するように、さまざまな動作が製品のデジタル表示に結び付けられている。グラフィックユーザインタフェースモジュール８０１は、アプリケーションを試験するために使用される。該ユーザインタフェースモジュール８０１は、製品のデジタル表示にアクセスできる。図３に関係して前述されたように、製品のデジタル表示中の画像ポイントにマークを付けるのは、読み取りペンと同様に位置を処理する位置の集合に画像ポイントを変換するペンエミュレータ８０２に、画像ポイントが送信されるという意味である。ペンエミュレータに結び付けられているのは、ペンエミュレータからの位置の集合が本物のペンと同様に送出されることを確実にするペンプロトコルモジュール８０３である。あらゆる物が、それが動作すべき通りに動作していることを試験するために、ペンエミュレータは、ペンエミュレータからの情報を解釈するために同種のペンプロトコルモジュール８０４を有する名前サーバ８０６にペンエミュレータから位置の集合を送信する。名前サーバ８０４は、それが、ペンエミュレータからの情報を解釈するためにペンプロトコルモジュールにも結び付けられるアプリケーションサーバ８０７に接触しなければならない旨の情報をペンエミュレータに与える。ペンプロトコルモジュール、ペンエミュレータ、及びグラフィックユーザインタフェースモジュールは、図１に図示されているソフトウェアサーバ１０６から得られる。
【００８５】
名前サーバに要求するには費用がかかるため、試験は好ましくは、アプリケーションが作成されているコンピュータで局所的に実行される。これは、アプリケーションサーバ８０７に位置の集合を直接的に送信することにより実行される。
【００８６】
ユーザは、ペンプロトコルモジュール、ペンエミュレータ、グラフィックユーザインタフェース、及びＣＤまたは任意の種類の磁気記憶媒体上の他のすべてのソフトウェアを得ることが可能である。
【００８７】
図９は、本発明の代替実施形態による製品のロットの製造及び試験のフローチャートを示す。ユーザは、ステップ９０１で、第１グラフィック設計ツールを用いて製品の一部のデジタル表示（ＥＰＳ）を作る。ステップ９０１で作られているものは、図１のステップ１０４でと同じである。グラフィック設計ツールからのこの出力信号は、第２グラフィック設計ツール内で、製品９０５を印刷するために印刷機９０４に後に送信される文書９０３に添付されるプリントアウトファイル（ＥＰＳ）として使用される。製品（ＰＡＤ）の一部の第２デジタル表示も、製品の一部のデジタル表示の試験のために第１コンピュータ９０６に、及び印刷された製品の試験のために第２コンピュータ９０７に送信される。ＰＡＤは、製品の外観だけに関する情報を含まないＥＰＳのバージョンである。
【００８８】
好ましくは、試験が満足であると判明した後に、試験製品は、十分な精度でプリントアウトを作成する通常のプリンタ９０８で印刷される。好ましくは、プリンタはレーザプリンタであるが、代わりに、高品質インクジェットプリンタのような十分に高品質のプリントアウトを作成する他のなんらかの型のプリンタである。
【００８９】
次に、プリンタで印刷された製品は、携帯電話９１０を介してアプリケーションサーバ（ＡＳＨ）と通信する９０９の読み取りペンをもって試験される。ここでは、試験製品は機能について試験される。試験が満足であると判明した後に、少量の製品９０５が印刷機９０４で印刷される。それから、製品は、製品の完全な所望のロットが印刷機９０４で印刷される前に、読み取りペン９０９で試験される。
【００９０】
ここで、製品の代替試験が図１０に関してさらに詳細に説明されるだろう。図１０ａは、製品のデジタル表示１００２が図示されるディスプレイ１００１を示している。製品のデジタル表示１００２では、活性化領域１００３のデジタル表示が図示されている。図１０ｂは、図１０ａのデジタル表示１００２に一致する製品１００４を示す。製品１００４は、活性化領域１００３のデジタル表示に一致するフィールド１００５を有する。製品のデジタル表示には、前述されたように、グラフィック情報だけではなく、仮想面の位置をコード化する位置−コード化パターンもある。図形が正確にパターンと位置合わせされていることを試験することが重要である。これは、画像がフィールド１００５に記録されるときには、位置−コード化パターンの正しい部分にマークが付けられなければならないため重要である。位置−コード化パターンがフィールド１００５と正しく位置合わせされていることを試験しなければならないとき、ボタン１００３は、カーソル１００６でディスプレイ上でマークを付けられる。それから、フィールド１００５の４つの端縁１００７のそれぞれの画像が製品に記録される。これは、記録ボタン１００９及び照準補助用具１０１０が備えられる、試験装置の位置合わせを可能とし、それによりどの領域を記録すべきかを確かめることができるようにする試験装置１００８によって実行される。試験装置が、フィールド１００５の端縁が見えるように位置合わせされているとき、フィールドの端縁の画像を記録するために記録ボタン１００９が押される。記録される画像は位置に変換される。それ以降、これらの位置を、活性化領域のマークが付けられたデジタル表記上の位置と比較することができ、該位置は製品のデジタル表示に記憶されている。この試験にはアプリケーションサーバも名前サーバも必要とされない。
【００９１】
製品の前述された試験は、好ましくはプリンタでの印刷後に実行される。このようにして、試験製品が試験される前に、高価印刷プロセスを開始する必要はない。
【００９２】
類似する試験は、好ましくは、大規模印刷機での印刷中に連続して実行される。これにより、品質が、印刷版の磨耗により劣化する場合に、印刷工程を停止することが可能になる。
【００９３】
複数のステップで試験することにより、障害発生時に印刷を中断し、このようにして最終的なユーザのきわめて多額の費用を節約することができる。行われたすべての設定が初めて試験されるので、特に、つまり、製品の小さな試験ロットが印刷されるときには、最後の試験ステップは重要である。
【００９４】
図９は、デジタル表示が製品の小さな部分、つまり新聞ページの上角にある広告にすぎないことを示している。
【００９５】
位置コードはさまざまな種類となりえる。それぞれの位置が一意の記号によりコード化される、一つの考えられる種類の位置コードが、導入部により言及された米国特許第５，８５２，４３４号に説明されている。
【００９６】
しかしながら、本発明の好ましい実施形態においては、有利なことに、各位置は複数の記号によってコード化され、コード化は位置コード中の各記号が複数の位置のコード化に役立つようになっている。つまり、２つの隣接する位置は部分的に共用される記号を有する。このようにして、さらに高い解像度が得られ、個々の記号がより複雑ではない場合があるため、検出は簡略化される。この種の重複するまたは浮動する位置コードは、コンピュータを使用することにより達成できる。このような浮動位置コードを作成する特別な方法が、参照してここに組み込まれている出願人の過去のＰＣＴ出願番号第ＳＥ００／０１０８５号に説明されている。
【００９７】
製品の試験と関連して同製品の画像を記録する間、パターン内のマークのサイズ及びパターン内のマーク間の距離などのパターンの他の態様のチェックが、好ましい実施形態に従って行われる。
【００９８】
試験される印刷済み製品の他の特性は、例えば、マークの形式及び／または密度である。密度を試験する代わりに、マークと取り囲む領域の間のコントラストをチェックすることができる。
【００９９】
有利なことに、マークと取り囲む領域の間のコントラストの試験は、複数の波長で実行される。例えば、これは、複数の波長で実行される。
【０１００】
マークは、好ましくは簡略な幾何学形状を有する。このようにして、それらは、有利なことにほぼ円形、三角形または矩形である。それらは塗りつぶすことも、塗りつぶさないこともできるが、この方が検出を容易にするため、前者の代替策が好まれる。
【０１０１】
マークが円形であり、マークの値が名目位置に対するそれらの位置に依存する前述された種類である場合、マークはその名目位置をカバーしてはならないため、変位の２倍、つまり２００％より大きい直径ではならない。しかしながら、これは重大ではなく、２４０％などの一定の重複は許可できる。最小サイズは、まず第１に、センサの解像度と、パターンを作成する印刷工程に関する要件により決定される。しかしながら、マークは、粒子及びセンサの雑音に関わる問題を防止するために、実際の場合では、変位の約５０％より小さな直径であってはならない。
【０１０２】
以下、浮動位置コードの代替型が説明されており、それは現在最も好ましい位置コードである。この位置コードは、出願人のＰＣＴ出願第ＳＥ００／０１８９５号、第ＳＥ００／０１８９７号、及び第ＳＥ００／０１８９８号の目的である。
【０１０３】
位置コードを活用するノートパッドは、ここに参照して組み込まれている、出願人の過去のＰＣＴ出願第ＳＥ００／０１６６７号及び対応するスウェーデン国出願第９９０３０５１−２号で説明されている。
【０１０４】
図４は、その表面４０２上に、複数の記号４０６を含む位置コード４０３が提供される、図１のノートパッド４０１の拡大された部分を示す。ページは、ｘ座標軸及びｙ座標軸を有する。
【０１０５】
位置コードは、このようにして人間の目には見えない、あるいは表面上の位置を決定するためのデバイスによって直接的に検出できない仮想ラスタ、及びそれぞれが、後述されるように４個の値「１」から「４」の一つを取ることができる複数の記号４０６を有する。
【０１０６】
位置コードは、ページの部分的な表面上の記号が、後述されるように仮想面の点の絶対座標をコード化するように配列されている。第１部分面と第２部分面４２５ａ、４２５ｂは、図４の破線により示されている。第１部分面４２５ａ上に位置する位置コード（ここでは４ｘ４記号）の一部が、第１ポイントの座標をコード化し、第２部分面４２５上で検出される位置コードの一部が仮想面上の第２ポイントの座標をコード化する。位置コードは、このようにして、隣接している第１ポイントと第２ポイントにとって部分的に同じである。本願ではこのような位置コードが「浮動」と呼ばれている。
【０１０７】
図５ａから図５ｄは、位置コード中で使用できる記号の実施形態を示す。該記号は、ラスタ線の間の交差によって表される仮想ラスタポイント５３０、及びドットの形を取るマーク５０６を有する。記号の値は、マークが配置される場所しだいである。図５の例では、４つの場所が考えられ、ラスタ線のそれぞれの上の一つがラスタポイントから伸びている。ラスタポイントからの変位はすべての値に対して同じサイズである。以下では、記号は図５ａでは値１、図５ｂでは値２、図５ｃでは値３、及び図５ｄでは値４を有する。それ以外に表現される場合、４個の異なる種類の記号がある。
【０１０８】
言うまでもなくドットが他の形状であってよいことが指摘されなければならない。
【０１０９】
各記号は、このようにして４個の値「１から４」を表すことができる。つまり、位置コードは、ｘ座標用の第１位置コード、及びｙ座標用の第２位置コードに分けることができる。分割は以下のように行われる。
【０１１０】
2004507852.tif 000003
【０１１１】
図６は、位置コードによりコード化される仮想面６０１のさまざまな部分が、どのようにして異なる目的で使用できるのかを描いている。第１部分領域６０２は、活性化領域２０８、３０８（図２と図３）用であり、位置コードを検出する目的であるデバイスは、第１部分領域から成り立つ仮想面の一部を認識する。第２部分領域６０３は、送信と関連付けられる活性化領域を形成する。図３に図示されているノートパッドのようなノートパッドを作成する使用権の取得者は、第２部分領域６０３の小さな部分である従属的な部分領域６０４を割り当てられる。同様にして、第２従属部分領域６０５は、テキスト認識と関連付けられる第３部分領域６０６の一部である。このようにして、第３部分領域６０６の一部である位置コードを記録するデバイスは、位置の記録されるシーケンスが文字として解釈されるべきかどうかを直接的に判断できる。
【０１１２】
図７は、前記説明による位置コードを記録するために使用できる読み取りペンを示す。
【０１１３】
デバイスは、ペンとほぼ同じ形状であるケーシング７１１を有する。該ケーシングの短い辺には開口部７１２がある。短い辺は、書き込み面３０３、アドレス領域Ａ、及び活性化フィールド３０７ａから３０７ｇ（図３を参照すること）に当接する、あるいはそれらから短い距離に保持されることを目的とする。
【０１１４】
ケーシングは、主として光学部品部分、電子回路構成要素部分、及び電源を備える。光学部品部分は、画像化しなければならない面を照明するための少なくとも一つの赤外線発光ダイオード７１３、及び例えばＣＣＤまたはＣＭＯＳセンサなどの、二次元画像を記録するための感光性の領域センサ７１４を有する。必要とされる場合、デバイスはレンズシステム（図示されていない）を備えることもある。
【０１１５】
デバイスの電源は、ケーシング内の別個の区画に取り付けられる電池７１５から得られる。
【０１１６】
電子回路構成要素部分は、信号プロセッサ７１６を備える。信号プロセッサ７１６は、適切にプログラミングされたマイクロプロセッサにより実現される。それは、書き込み面上で生成されるグラフィック情報のデジタル表示を生成するためにセンサからの画像を分析するため、及び活性化領域を検出するためのソフトウェアを備える。それは、さらに、活性化領域により決定される動作を開始する、及び／または実行するためのソフトウェアを備える。それは、ユーザがアドレス情報を追跡調査できるようにするためのアドレスブックプログラム、ユーザが、会議、誕生日及び日記またはカレンダに書き込まれる他の情報などのカレンダ情報を追跡調査できるようにするためのカレンダプログラム、及びユーザが実行しなければならないタスクを入力できるようにする「すべきこと（ｔｏ　ｄｏ）」リストプログラムなどのユーザソフトウェアも備えることができる。
【０１１７】
有利なことに、信号処理装置７１６も、記録された文字を、それらを文字コード化フォーマットで記憶、管理、及び／または転送できるように解釈するために使用できるＩＣＲソフトウェアを有する。
【０１１８】
信号プロセッサは、さらに、書き込み面７０３及びアドレス領域Ａから記録される情報を記憶するためのメモリ７１７も有する。
【０１１９】
デバイスのケーシング上には、さらに、ユーザが書き込み面上に通常の顔料を使用する書き込みを書き込むことができるようにするペン先７１８がある。ペン先７１８は、ユーザが、それが使用されるべきかどうかを管理できるように引き伸ばし、引っ込めることができる。ペン先はセンサ７１４にに対して変位する。したがって、センサはペン先の正確な位置を検出しない。しかしながら、このように要求される場合には、これは、センサに対するペン先の位置に関する認識から計算できる。
【０１２０】
デバイスは、デバイスを活性化し、活性化フィールドにより制御されていない動作について制御できるようにするボタン７１９も有してよい。
【０１２１】
それは、例えばブルートゥース規格による短距離無線リンクを介した、短距離での情報の無線伝送用のトランシーバ７２０も有する。この無線伝送は、デバイスがそれ自体開始したすべての動作を実施できないときに活用できるが、記録された情報をどの動作が実行されなければならないのかについての情報とともに外部装置に渡す必要がある。最後に、デバイスは、例えば記録された情報を示すためのディスプレイ７２１を備えることがある。ディスプレイは必要ではない。ディスプレイが多少なりとも必要とされる範囲まで、情報は外部装置上のディスプレイに表示することができる。
【０１２２】
言うまでもなく、本発明は、前述された実施形態に制限されず、当業者は、本発明が添付請求項の範囲内で修正できることを理解する。
【０１２３】
例えば、画像を記録するときに製品を照明する目的であるデバイス内で赤外線発光ダイオードを使用する必要はないが、なんらかの他の適切な光源もまさに同様に使用できるだろう。デバイスの光源なしで済ませ、周囲の光を使用することも可能である。
【０１２４】
本発明の方法に従って作られる製品を製造するために通常のプリンタを使用できることは言うまでもない。したがって、この目的のために印刷機を使用することは必要ではない。
【図面の簡単な説明】
【図１】
本発明による製品及びサービスを発生させるための方法を図示する。
【図２】
製品のデジタル表示を生成するためのテンプレートを示す。
【図３】
テンプレート及び対応する製品を基に生成された製品のデジタル表示を図示する。
【図４】
位置コードの一部を示す。
【図５】
仮想ラスタに対する個々の記号を示す。
【図６】
位置コードがさまざまな位置をコード化する仮想領域を示す。
【図７】
位置コードを記録するためのデバイスを示す。
【図８】
製品のデジタル表示を試験するためのプログラムを図示する。
【図９】
本発明の実施形態による製品の製造及び試験を図示する。
【図１０】
製品のデジタル表示を基準にして製品がどのように検証されるのかを図示する。
【図１】
2004507852.tif 000004
【図２】
2004507852.tif 000005
【図３】
2004507852.tif 000006
【図４】
2004507852.tif 000007
【図５】
2004507852.tif 000008
【図６】
2004507852.tif 000009
【図７】
2004507852.tif 000010
【図８】
2004507852.tif 000011
【図９】
2004507852.tif 000012
【図１０】
2004507852.tif 000013
【国際公開パンフレット】
2004507852.tif 000014
2004507852.tif 000015
2004507852.tif 000016
2004507852.tif 000017
2004507852.tif 000018
2004507852.tif 000019
2004507852.tif 000020
2004507852.tif 000021
2004507852.tif 000022
2004507852.tif 000023
2004507852.tif 000024
2004507852.tif 000025
2004507852.tif 000026
2004507852.tif 000027
2004507852.tif 000028
2004507852.tif 000029
2004507852.tif 000030
2004507852.tif 000031
2004507852.tif 000032
2004507852.tif 000033
2004507852.tif 000034
2004507852.tif 000035
2004507852.tif 000036
2004507852.tif 000037
2004507852.tif 000038
2004507852.tif 000039
2004507852.tif 000040
2004507852.tif 000041
2004507852.tif 000042
2004507852.tif 000043
2004507852.tif 000044
2004507852.tif 000045
2004507852.tif 000046
2004507852.tif 000047
2004507852.tif 000048
2004507852.tif 000049
2004507852.tif 000050
2004507852.tif 000051
2004507852.tif 000052
2004507852.tif 000053
2004507852.tif 000054
2004507852.tif 000055
2004507852.tif 000056
2004507852.tif 000057
2004507852.tif 000058
2004507852.tif 000059
【国際調査報告】
2004507852.tif 000060
2004507852.tif 000061
2004507852.tif 000062
2004507852.tif 000063
2004507852.tif 000064
2004507852.tif 000065
2004507852.tif 000066